(57)【要約】【課題】ダストクリーナの空気吸入面積を増やし、ダストクリーナの塵除去効率を改良する真空掃除機用の第２段分離装置を提供すること。【解決手段】本発明は、真空掃除機用の第２段分離装置を開示しており、その第２段分離装置は、垂直方向に互いに結合された円筒状バレルおよび円錐状バレル、円筒状バレルの内部に同軸に配置された排気チューブを有し、前記円筒状バレルの側壁は、渦巻状の中心線と方形の縦断面を有する２つの空気吸入部に連結され、２つの空気吸入部は同じ高さで円周方向に１８０°ずれて円筒状バレルに配置され、空気吸入口は円筒状バレルの軸線を通る共通平面内に反対の向きに配置される。本発明は、ダストクリーナの空気吸入面積を増やし、ダストクリーナの塵除去効率を改良することができる。【選択図】図６
2007275550.tif 000002
【特許請求の範囲】
【請求項１】
バレルと、
ともに前記バレルに設けられた排気チューブ（３）および少なくとも一対の空気吸入部（４）と、
を有する真空掃除機用の第２段分離装置。
【請求項２】
前記バレルは、垂直方向に互いに結合された円筒状バレル（１）および円錐状バレル（２）を有し、前記排気チューブ（３）は円筒状バレル（１）の内部に同軸に配置され、各空気吸入部（４）は前記円筒状バレル（１）の側壁に連結される請求項１に記載の真空掃除機用の第２段分離装置。
【請求項３】
前記一対の空気吸入部（４）は、円筒状バレル（１）上に同じ高さで円周方向に１８０°ずれて配置され、前記空気吸入口（５）は、円筒状バレル（１）の軸線を通る共通平面内に反対の向きに配置された請求項１または請求項２に記載の真空掃除機用の第２段分離装置。
【請求項４】
前記一対の空気吸入部（４）は渦巻状の中心線を有する請求項３に記載の真空掃除機用の第２段分離装置。
【請求項５】
前記一対の空気吸入部（４）は方形の縦断面を有する請求項３に記載の真空掃除機用の第２段分離装置。
【請求項６】
粗い混入物を最初に分離する前フィルタ（９）を有する接線方向の取り込み部（６０）を備えた第１のサイクロン（６）と、
前フィルタ（９）によって分離されない微細混入物を二番目に分離し、前記第１のサイクロン（６）に配置された第２のサイクロン（５０）とを有する真空掃除機用の塵分離装置であって、第２のサイクロンは、
上端部にある複数の空気吸入部（４）および空気排出部（３）を有する導管であって前記複数の空気吸入部（４）が前記前フィルタ（９）内に配置され、前記複数の空気吸入部のそれぞれが接線方向の態様で配置された導管（１）と、
前記導管の下端部に連結されて螺旋流を作る円錐状シリンダ（２）と、
前記円錐状シリンダ（２）の下端部に取り付けられて微細混入物を収集する集塵装置（７）とを有する、真空掃除機用の塵分離装置（１０６）。
【請求項７】
前記複数の空気吸入部（４）は、前記高効率サイクロンの上端部に配置される請求項６に記載の塵分離装置。
【請求項８】
各空気吸入部（４）は異なる軸方向に配置される請求項６に記載の塵分離装置。
【請求項９】
前記導管（１）は円錐状シリンダ（２）と一体で製造される請求項６に記載の塵分離装置。
【請求項１０】
各空気吸入部（４）は前記空気排出部（３）の軸に対して接線方向である請求項６に記載の塵分離装置。
【請求項１１】
塵混入空気流を受け入れる汚れ空気取り込み部（６０）と、
前記汚れ空気取り込み部から離間した清浄空気排出部（１２）と、
前記汚れ空気取り込み部（６０）から下流に清浄空気排出部（１２）まで伸長し、吸引源と流れ連通する空気流路と、
前記空気流路に配置した塵分離装置（１０６）とを有する真空掃除機であって、塵分離装置は、
第１のサイクロン（６）および前記第１のサイクロンから下流にある第２のサイクロン（５０）を有し、
複数の空気吸入部（４）が、前記空気流路内で、前記第１のサイクロンの下流で前記第２のサイクロンの上流に配置された真空掃除機（１００）。
【発明の詳細な説明】
【技術分野】
【０００１】
本発明は、真空掃除機用の第２段分離装置に関する。
【背景技術】
【０００２】
中華人民共和国の知識産権局（ＳＩＰＯ）によって２００３年５月５日に登録の中国特許第ＺＬ０２２２０３３６．２号は、ダストクリーナ用の減速遠心分離装置を開示しており、この装置は、空気用の排気チューブおよび吸入チューブを備えた円筒状のバレル、上下に連続して互いに結合された円錐状バレルおよび塵収集ボックス、排気チューブの下の円錐状バレルの内部に設けた傘状反射プレート、傘状反射プレートの中心に配置した回流穴、および傘状反射プレートの周縁部と円錐状バレルの側壁との間に形成された塵落とし用の環状ギャップを有し、前記円錐状バレルは上端部が小さく、底端部が大きくなっている。前記装置は、特に、二次ろ過システム用としておよび細塵の分離用として、小さい空気圧力損失、良好な吸引作用、高い塵ろ過精度、低い動作音、および二次空気汚染の効果的回避能力といった特徴をもつ。
【特許文献１】中国特許第ＺＬ０２２２０３３６．２号
【発明の開示】
【発明が解決しようとする課題】
【０００３】
しかし、上記の分離装置には空気吸入部が１つしかないため、空気吸入部の面積を拡大することが難しく、そのことがダストクリーナの空気量の増加を妨げる主原因になっている。
【０００４】
本発明の目的は、ダストクリーナの空気吸入面積を増やし、ダストクリーナの塵除去効率を改良する真空掃除機用の第２段分離装置を提供することである。
【課題を解決するための手段】
【０００５】
本発明の１つの態様では、バレルと、ともにバレルに配置された排気チューブおよび空気吸入部とを有する真空掃除機用の第２段分離装置を設け、前記空気吸入部は少なくとも２つとする。
【０００６】
本発明の別の態様では、バレルと、ともにバレルに配置された排気チューブおよび空気吸入部とを有する第２段分離装置を設け、前記空気吸入部は少なくとも２つとする。前記バレルは、互いに垂直方向に結合された円筒状バレルおよび円錐状バレルを有し、排気チューブは、円筒状バレル内に同軸に配置され、空気吸入部は、円筒状バレルの側壁に連結される。
【０００７】
本発明のさらに別の態様では、バレルと、ともにバレルに配置された排気チューブおよび空気吸入部とを有する真空掃除機用の第２段分離装置を設け、前記空気吸入部は少なくとも２つとする。前記バレルは、互いに垂直方向に結合された円筒状バレルおよび円錐状バレルを有し、排気チューブは、円筒状バレル内に同軸に配置され、各空気吸入部は、円筒状バレルの側壁に連結される。前記２つの空気吸入部は、高さが同じで、円周方向に１８０°ずれて円筒状バレルに配置され、空気吸入口は、円筒状バレルの軸線を通る共通平面に反対の向きに配置される。前記２つの吸入チューブの中心線は渦巻状をなし、前記２つの吸入チューブは方形の縦断面を有する。
【０００８】
本発明の別の目的は、ダストクリーナの空気吸入面積を増やし、ダストクリーナの塵除去効率を改良する塵分離装置を提供することである。
【０００９】
上記目的を達成するために、本発明による塵分離装置は、粗い混入物を最初に分離する前フィルタを有する、接線方向取り込みの低効率サイクロンと、前フィルタによって分離されない微細な混入物を２次分離し、前記低効率サイクロン内に配置された高効率サイクロンとを有し、高効率サイクロンは、複数の前記空気吸入部および空気排出部を有する導管と、前記導管に連結されて螺旋流れを作る円錐状シリンダと、前記円錐状シリンダの下端部に取り付けられて微細な混入物を収集する集塵器とを有し、前記空気吸入部は前記前フィルタに配置され、それぞれ接線方向態様で配置される。
【００１０】
前記空気吸入部は前記高効率サイクロンの上端部に配置されるのが好ましい。
【００１１】
さらに、各空気吸入部は異なる軸方向に配置される。
【００１２】
加えて、前記導管は円錐状シリンダと一体で製造される。
【００１３】
各空気吸入部は前記空気排出部の軸に対して接線方向であるのがさらに好ましい。
【００１４】
本発明のさらに別の目的は、ダストクリーナの空気吸入面積を増やし、ダストクリーナの塵除去効率を改良する真空掃除機を提供することである。
【００１５】
真空掃除機は、塵混入空気流を受け入れる汚れ空気取り込み部、汚れ空気取り込み部から離れた清浄空気排出部、汚れ空気吸入部から下流に清浄空気排出部まで延び、吸引源と流れ連通する空気流路、および空気流路に配置された塵分離装置を有し、塵分離装置は、第１のサイクロンと第１のサイクロンから下流にある第２のサイクロンとを有し、複数の空気吸入部が、空気流路内で、第１のサイクロンの下流で第２のサイクロンの上流に配置される。
【００１６】
本発明の利点は以下である。
【００１７】
１．先行技術の分離装置を基本として、本発明は、空気吸入部を追加して空気吸入面積を増やすので、先行技術の装置と比較して空気量が明らかに増え、塵除去効率が改良される。
【００１８】
２．本発明は、渦巻状の空気吸入部を２つ使用する。吸入面積が同じならば、吸収口の幅が低減でき、したがって、汚れ空気流が塵除去装置に吸入された場合に、汚れ空気流は中心領域から相対的に遠くに離れる。同じ遠心力のもとで、塵が壁に向かって移動する距離が短いほど、効率的に分離するのにより有利になる。
【発明の効果】
【００１９】
本発明の真空掃除機用第２段分離装置によれば、ダストクリーナの空気吸入面積を増やし、ダストクリーナの塵除去効率を改良することができる。
【発明を実施するための最良の形態】
【００２０】
本発明は、典型的な実施形態とともに、添付図面を参照して以下にさらに説明される。
【００２１】
本発明の好ましい実施形態を真空掃除機、特に直立型真空掃除機でのその使用について説明する。本明細書に記載の多段分離における改良は、粒子が流体（すなわち液体および／または気体）から除去される工業塵埃または粒子収集システムを含む任意の種類の単段および多段分離装置はもちろんのこと、キャニスタ型真空掃除機、背負い式真空掃除機、中央真空掃除機システムでも使用することができる。
【００２２】
図３〜図５に示すように、直立型真空掃除機１００は通常、塵混入空気流を導入するノズル１０２、吸引源を提供するモータ１０４、塵混入空気流から粗い混入物と微細な混入物を分離する塵分離装置１０６、および塵分離装置１０６を介してノズル１０２に連結されて塵混入空気流を移送するためのホース１０３を有する。塵分離装置１０６は、第１のサイクロンもしくは第１段分離装置６、第２のサイクロンもしくは第２段分離装置５０、および汚れ空気吸入口６０から下流に清浄空気排出口１２まで延び、モータ１０４と流れ連通する空気流路（参照番号なし）を有する。
【００２３】
図６と図７に示すように、真空掃除機１００の第２段分離装置５０は、垂直方向に互いに結合された円筒状バレル１および円錐状バレル２、円筒状バレル１の内部に同軸に配置された排気チューブ３、前記円筒状バレル１の側壁に連結され、それぞれが渦巻状の中心線と方形の縦断面を有する２つの空気吸入部４を有する。空気吸入部４は、円筒状バレル１に高さが同じで円周方向に１８０°ずれて配置され、空気吸入口５は、円筒状バレル１の軸線を通る共通平面に同軸にかつ反対の向きに配置されている。
【００２４】
図１および図２に示すように、先行技術の装置では、空気吸入部４’の幅はａ１であり、高さはｂであるので、面積ｍ１はａ１×ｂに等しく、この点において面積ｍ１はこの装置の障害となり、空気量を制限する。ここでの前提条件は、面積ｍ１が排気チューブ３’の面積πｒ２より小さい点にあり、それはダストクリーナの構造に依存する。
【００２５】
図６および図７を参照すると、本発明は、空気吸入面積を増やすために空気吸入部が２つある構造を採用し、このとき、空気吸入面積ｍ２は２ａ２×ｂとなり、先行技術の装置の面積に比べて大きくなる。それと同時に、面積ｍ２が排気チューブの面積πｒ２より大きいと、排気チューブの排出口は装置の障害となる。塵除去効率を保証するための前提条件を受けて、装置の空気量は排気チューブ３の直径を大きくすることによって増やすことができる。
【００２６】
さらに、空気吸入面積が同じでかつ空気吸入部高さが同じ場合、幅ａ２は小さくすることができる、すなわちａ２はａ１の半分だけになる。したがって、塵空気流が塵除去装置の胴体に吸入されると、塵空気流は中心から遠く離れることができ、その結果、塵除去効率の改良に寄与する。
【００２７】
図８および図９を参照すると、本発明による１対の空気吸入部４を有する第２段分離装置５０を取り付けた塵分離装置は、覆い蓋１０を備えたシリンダタンク６と、ともにシリンダタンク６内に取り付けられた円筒状バレル１および円錐状バレル２を有する。円錐状バレル２の下に配置された集塵装置７も、シリンダタンク６内に置かれる。外周に形成された複数の微細孔９０を有するシリンダフィルタカバー９は前フィルタとも呼ばれ、円筒状バレル１の外側に同軸で配置され、円筒状バレル１およびシリンダフィルタカバーすなわち前フィルタ９は、排気チューブ３が設けられた上部カバー８によって覆われる。それに加えて、空気流をさらにろ過する、スポンジ片などの第３のフィルタ１１がさらにあり、そのフィルタは、上部カバー８上に配置されて排気チューブ３を覆い、空気流が覆い蓋１０の片側の排出口１２を通って流れ出る前にこれをろ過する。
【００２８】
動作時、塵混入空気流は技術的に公知の任意の手段によって接線方向取り込み部６０からシリンダタンク６に導入することができ、最初に前フィルタ９によってろ過される。粗い混入物は、微細孔９０に入ることができないので下方に落ち、一方、微細混入物を含む空気流は微細孔９０に入る。微細混入物を含む空気流が、接線方向の空気吸入部４を通って円筒状バレル１に入ると、次いで上端部および上端部より広い下端部を有する円錐状バレル２で２次のろ過を受け、前フィルタ９で分離されなかった微罪混入物が分離され、空気流は排気チューブ３を通って上方に移動する。排気チューブ３上に配置されたフィルタ１１は、真空掃除機１００のモータ１０４に案内されようとしており、最終的には大気に放出される空気流に対して第３のろ過を行う。
【００２９】
この実施形態では、対をなす空気吸入部４が塵分離装置１０６に設けられている。さらに流量を増やして、様々な必要条件を満たすために、空気吸入部をさらに多くすることを検討することもできる。
【００３０】
本発明は、様々なタイプの真空掃除機に、特にサイクロン式真空掃除機に適用でき、使い勝手をさらに改良することができる。
【００３１】
本発明の多数の特徴と利点が本発明の構造および機能の詳細とともに前記の説明で述べられたが、ただし、本開示は単なる例示に過ぎず、特に各部品の形状、大きさ、および構成に関して、本発明の原理内で添付の特許請求の範囲を記述した用語の一般的な幅広い意味によって示される最大の範囲まで細部にわたって変更を行うことができることを理解すべきである。
【図面の簡単な説明】
【００３２】
【図１】先行技術の装置の正面図である。
【図２】図１の円筒状バレルの平面図である。
【図３】本発明の真空掃除機の分解斜視図である。
【図４】図３の真空掃除機の正面図である。
【図５】図３の真空掃除機を右から見た図である。
【図６】本発明の分離装置の正面図である。
【図７】図６の分離装置にある円筒状バレルの平面図である。
【図８】本発明による分離装置を有する塵除去装置の組み立て図である。
【図９】本発明による分離装置を有する塵除去装置の全体図である。
【符号の説明】
【００３３】
１  円筒状バレル
２  円錐状バレル
３  排気チューブ
４  空気吸入部
５  空気吸入口
【図１】
2007275550.tif 000003
【図２】
2007275550.tif 000004
【図３】
2007275550.tif 000005
【図４】
2007275550.tif 000006
【図５】
2007275550.tif 000007
【図６】
2007275550.tif 000008
【図７】
2007275550.tif 000009
【図８】
2007275550.tif 000010
【図９】
2007275550.tif 000011